(57)【特許請求の範囲】
【請求項１】
側枠部材と横枠部材とから構成されパネル本体の骨格を形成する構造枠体と、前記構造枠体の前後少なくとも一方の面に着脱可能に装着されるパネル要素とを具備してなるものにおいて、
パネル本体の厚み方向とその奥行方向を略一致させた状態で構造枠体に着脱可能に取り付けられる厚み調整部材を具備してなり、この厚み調整部材が、前記構造枠体の前後少なくとも一方の面とパネル要素の内面間にその一部を介在させて装着され、前記構造枠体の前後少なくとも一方の面とパネル要素の内面との離間距離を変更して前記パネル本体の厚み寸法を変更し得るものであり、
前記厚み調整部材が、異なる離間距離を有する複数組の対向面を具備する平面視略多角形状のものであり、構造枠体に対する取付方向を変更することでパネル本体の厚み寸法を変更するようにしていることを特徴とするパネル。
【請求項２】
パネル本体の厚み寸法が上下位置で部分的に異なることを特徴とする請求項１記載のパネル。
【請求項３】
パネル本体が、下端部側の厚み寸法を上端部側の厚み寸法よりも大きく設定されていることを特徴とする請求項２記載のパネル。
【請求項４】
厚み調整部材が、パネル要素の内面と対向する対向面を前記パネル要素の内面を添え設け支持するパネル要素支持面とするものであることを特徴とする請求項１、２又は３記載のパネル。
【請求項５】
厚み調整部材が、前記パネル要素を取り付け得る取付機能を有しており、前記パネル要素の内面から突設した爪と係り合うことができる係り合い溝を具備しているものであることを特徴とする請求項１、２、３又は４記載のパネル。
【請求項６】
厚み調整部材が、前記横枠部材に取り付けられるものであることを特徴とする請求項１、２、３、４又は５記載のパネル。
【発明の詳細な説明】
【０００１】
【発明の属する技術分野】
本発明は、可動間仕切壁等としてオフィス等で好適に利用されるパネルに関するものである。
【０００２】
【従来の技術】
例えば、オフィス等で空間を仕切るものとして使用される可動間仕切壁等のパネルがある。この種のパネルとしては、パネル本体の骨格を形成する構造枠体と、この構造枠体の前後両面の略全域を覆う位置に着脱可能に装着されるパネル要素とを具備してなるものが挙げられる。
【０００３】
そして、このパネルをオフィス内で使用する際には、種々の使用態様に合わせて異なる厚み寸法のものを選択して利用するのが一般的である。例えば、パネルの配線機能を利用してオフィス内に配線を張り巡らしたい場合には、構造枠体とパネル要素間に形成される空間を配線空間として利用するべくパネルの厚み寸法が約１２０ｍｍと比較的厚いタイプのものを利用し、一方、オフィスの省スペース化を図る場合には、その厚み寸法が約６０ｍｍと比較的薄いタイプのものを使用するなどの使用態様が考えられる。
【０００４】
【発明が解決しようとする課題】
ところで、1枚のパネルにおいて部分的にその厚み寸法に違いを持たせ、様々な使用態様に柔軟に対応させたいという要望がある。
【０００５】
具体例を挙げると、対面配置させた机間にパネルを介在させて使用する際に、机の天板下に位置するパネルの下端部側は配線機能を付与すべく比較的厚みを有する構成とし、天板上に位置する上端部側は作業スペースを拡大するために薄くしたいなどの場合である。
【０００６】
しかしながら、従来、1枚のパネルにおいて部分的にその厚み寸法に違いを持たせているような構成は見当たらないのが実状である。
【０００７】
一方、従来、異なる厚み寸法のパネルを各種構成する際には、各種厚み寸法が異なる構造枠体を数種類用意し、これら構造枠体にパネル要素のみ共通のものを装着するようにしている。しかしながら、このような構成であると、比較的大型で生産及び保管上の負担が大きい構造枠体において厚みの異なるものが各種必要となり、生産上の負担やコストが増大するだけでなく、常時、工場内に数種類を在庫しておかねばならないため専用の在庫スペースが必要となるなど、種々の負担が製造者側に生じるものであった。また、現場で簡単に使用者の要望に合わせて厚み変更できない等、使用変更や要求に対し柔軟に対応できないという不具合もあった。
【０００８】
【課題を解決するための手段】
上記課題に鑑み、本発明では、1枚のパネルで部分的に厚みが異なるものを構成するようにし、様々な使用態様に柔軟に対応し得るようにしている。さらに、構造枠体及びパネル要素に変更を加えずとも、厚み調整部材を利用してパネル本体の厚み寸法を簡単に変更できるようにしている。
【０００９】
【発明の実施の形態】
すなわち、本発明は、側枠部材と横枠部材とから構成されパネル本体の骨格を形成する構造枠体と、前記構造枠体の前後少なくとも一方の面に着脱可能に装着されるパネル要素とを具備してなるものにおいて、パネル本体が、部分的に異なる厚み寸法を有するものであることを前提とするパネルである。
【００１０】
このような前提のものであると、例えば、対面配置させた机間にパネルを介在させて使用する際に、机の天板下に位置するパネルの下端部側は配線機能を付与したいが、天板上に位置する上端部側は天板面の作業スペースを拡大して使用したいなどという要望がある場合に、パネルの下端部側を配線機能を付与すべく比較的厚みを持たせた構成とするとともに、上端部を薄く構成して天板面を拡大することにより前述した使用者の要望に的確に応えることが可能となる。すなわち、本願発明のような構成であると、パネルの適当な部分を付与したい機能に相応しい厚さ寸法にして、使用者が要望する種々の使用形態に柔軟に応えることが可能となる。
【００１１】
また、構造枠体やパネル要素に設計変更を加えずとも、パネル本体の厚み寸法を部分的に異なるものとする本発明に係るパネルは、パネル本体の厚み方向とその奥行方向を略一致させた状態で構造枠体或いはパネル要素に取り付けられる厚み調整部材を具備してなり、この厚み調整部材が、前記構造枠体の前後少なくとも一方の面とパネル要素の内面間にその一部を介在させて装着され、前記構造枠体の前後少なくとも一方の面とパネル要素の内面との離間距離を変更して前記パネル本体の厚み寸法を部分的に異なるものとし得ることを前提としている。
【００１２】
そして、1枚のパネルにおいて部分的に厚み寸法を異ならせるだけでなく、前記厚み調整部材を利用して異なる厚みを有する数種類のパネルを構成するため、側枠部材と横枠部材とから構成されパネル本体の骨格を形成する構造枠体と、前記構造枠体の前後少なくとも一方の面に着脱可能に装着されるパネル要素とを具備してなるものにおいて、パネル本体の厚み方向とその奥行方向を略一致させた状態で構造枠体に取り付けられる厚み調整部材を具備してなり、この厚み調整部材が、前記構造枠体の前後少なくとも一方の面とパネル要素の内面間にその一部を介在させて装着され、前記構造枠体の前後少なくとも一方の面とパネル要素の内面との離間距離を変更して前記パネル本体の厚み寸法を変更し得るものであることを特徴としている。
【００１３】
このような構成のものであると、例えば、厚み調整部材の構造枠体に対する奥行寸法を変更するだけで、パネル本体の主要部をなす構造枠体及びパネル要素に構造変更を加えずとも、簡単に異なる厚み寸法のパネルを構成することが可能となる。特に、厚み調整部材を小型樹脂製のものにすれば、従来のように厚みの異なるパネルを形成するために各種厚みの異なる比較的大型な構造枠体を個別に製造する必要がなく、該構造枠体の共通化が可能となるため、生産上の負担軽減やコストの低減化を図り得ることは勿論、工場内在庫を極力減少させることができる。
【００１４】
また、従来のものに比べて、現場で簡単に使用者の要望に合わせてパネルの厚みを変更することができるなど、使用者の使用変更や要求に対し柔軟に対応することも可能となる。
【００１５】
さらに、パネルの厚み変更を簡単に行い得るものとするため、厚み調整部材が、前記構造枠体に着脱可能に取り付けられるものであることを特徴としている。
【００１６】
そして、１種類の厚み調整部材で数種類の厚み寸法に対応し得るようにして部品点数の削減を図るため、厚み調整部材が、異なる離間距離を有する複数組の対向面を具備する平面視略多角形状のものであり、構造枠体に対する取付方向を変更することでパネル本体の厚み寸法を変更するようにしていることを特徴としている。
【００１７】
この場合の好適な実施の形態としては、パネル本体の厚み寸法が上下位置で部分的に異なるものが挙げられる。
【００１８】
特に、好適な実施の形態としては、パネル本体が、下端部側の厚み寸法を上端部側の厚み寸法よりも大きく設定されているものが挙げられる。
【００１９】
パネル要素の安定支持を図るには、厚み調整部材が、パネル要素の内面と対向する対向面を前記パネル要素の内面を添え設け支持するパネル要素支持面とするものであることが望ましい。
【００２０】
構造枠体に複雑な加工を施さずにパネル要素を構造枠体に簡単に取り付け得る構成とするには、厚み調整部材が、前記パネル要素を取り付け得る取付機能を有しており、前記パネル要素の内面から突設した爪と係り合うことができる係り合い溝を具備していることが望ましい。
【００２１】
パネルが内部に配線空間を有するものである場合に、隣設するパネル間で配線類を横配線し易いものとするには、厚み調整部材を、前記横枠部材に取り付けることが望ましい。
【００２２】
【実施例】
＜第１実施例＞
以下、本発明の一実施例について図面を参照して説明する。
【００２３】
この実施例におけるパネルたる可動間仕切壁１０１は、図１及び図２に示すように、可動間仕切壁本体１０６の骨格を形成する構造枠体２と、この構造枠体２の前後両面側に着脱可能に装着されるパネル要素３と、前記構造枠体２の上端部に取り付けられる笠木１０４と、前記構造枠体２の側端面に取り付けられるカバー１０５とを具備してなるものである。そして、本実施例の可動間仕切壁１０１は、前記構造枠体２とパネル要素３とによって閉止される位置である内部空間を配線類を収納し得る配線空間Ｓとしている。
【００２４】
このような構成の可動間仕切壁１０１において、本実施例では、可動間仕切壁本体１０６の厚み寸法を部分的に異なるものとしている。具体的には、異なる厚み寸法を有する第1、第２の厚み調整部材１０８Ａ、１０８Ｂを利用することにより可動間仕切壁本体１０６の下半部１０６ａ側の厚み寸法を上半部１０６ｂ側の厚み寸法よりも厚いものとしている。
【００２５】
以下、各部の構成について説明する。
【００２６】
構造枠体２は、可動間仕切壁１の側端面を形成する略鉛直方向に沿って配置した左右の側枠部材２１と、これら左右の側枠部材２１を連結する略水平方向に沿って配置した複数の横枠部材２２とを具備してなり、これら側枠部材２１と横枠部材２２とを枠体状に連結している。
【００２７】
側枠部材２１は、板金素材を内側面側が開放するように横断面略コ字形に塑性変形してなる２つの部材を組み合わせて構成した略角パイプ状のものである。横枠部材２２は、前記側枠部材２１と略等しい前後巾を有する横断面略ロ字形の角パイプ状のものである。そして、その左右側端面を前記左右の側枠部材２１の内側面に当接させて、溶接等の適宜の手段で左右の側枠部材２１間に取り付けてある。
【００２８】
パネル要素３は、図２に示すように板金製の板状部材３１の内面に芯材３２を充填してなる長方形状のもので、上下方向に沿って複数枚連設することにより、該構造枠体２の略全域を覆う位置に設けてある。これらのパネル要素３には、コーナー部近傍の内面側にそれぞれ前記芯材３２に代えて上向爪３３ａを有する樹脂部材３３及び下向爪３４ａを有する樹脂部材３４が設けてあり、これら爪３３ａ、３４ａを利用して、複数の横枠部材２２のうち任意の２つの間にパネル要素３を着脱可能に装着し得るようにしている。
【００２９】
第1、第２の厚み調整部材１０８Ａ、１０８Ｂは、可動間仕切壁本体１０６の厚み方向とその奥行方向を略一致させた状態で構造枠体２に取り付けられるものであり、これら厚み調整部材１０８Ａ、１０８Ｂが、前記構造枠体２の前後面とパネル要素３の内面３ａ間にその一部を介在させて装着されるものであり、前記構造枠体２の前後面とパネル要素３の内面３ａとの離間距離を変更して前記可動間仕切壁本体１０６の厚み寸法を部分的に異なるものとしている。
【００３０】
第１の厚み調整部材１０８Ａは、図２及び図３に示すように、合成樹脂製で、最下の横枠部材２２の上面側と、最下の横枠部材２２のすぐ上方に位置する横枠部材２２の上下両面側と、さらにその上方に位置する横枠部材２２の下面側において、その左右端部に取り付けられている。この第１の厚み調整部材１０８Ａは、その前後巾が、側枠部材２１及び横枠部材２２の前後巾よりも巾広であり、装着位置で、その前後面１０８ａを側枠部材２１及び横枠部材２２の前後面２１ａ、２２ａよりも外方に突出した位置に設けてパネル要素３の内面３ａを添え設け支持するパネル要素支持面Ｐとしている。この第１の厚み調整部材１０８Ａは、上下何れか一方の面に、前記パネル３の下向爪３４ａ或いは上向爪３３ａが係り合い得る凹状の係り合い溝１０８１を有しており、横枠部材２２の上面側に取り付けられる場合には、前記係り合い溝１０８１が上方に開口するように、横枠部材２２の下面側に取り付けられる場合には、係り合い溝１０８１が下方に開口するように取り付けられる。なお、この第１の厚み調整部材１０８Ａを横枠部材２２に取り付ける場合には、該第１の厚み調整部材１０８Ａから突出した係り合い爪（図示せず）を横枠部材２２の上面に設けた開口（図示せず）に係り合わせた後、ねじ止めする等して取り付けるが、取付方法はこれに限定されない。
【００３１】
第２の厚み調整部材１０８Ｂは、合成樹脂製で、最上の横枠部材２２の下面側と、最上の横枠部材２２のすぐ下方の横枠部材２２の上下両面側と、さらに下方の横枠部材２２の上面側において、その左右端部に取り付けられる。この第２の厚み調整部材１０８Ｂは、前記構造枠体２と略等しい前後巾を有しており、前記第１の厚み調整部材１０８Ａよりもその厚み寸法が小さく設定されているものである。そして、前記第１の厚み調整部材１０８Ａと同様、その前後面１０８ｂを、パネル要素３の内面３ａを添え設け支持するパネル要素支持面Ｐとしている。また、この第２の厚み調整部材横枠部材１０８Ｂは、上下何れか一方の面に、前記パネル３の下向爪３４ａ或いは上向爪３３ａが係り合い得る凹状の係り合い溝１０８２を有しており、横枠部材２２の上面側に取り付けられる場合には、前記係り合い溝１０８２が上方に開口するように、横枠部材２２の下面側に取り付けられる場合には、係り合い溝１０８２が下方に開口するように取り付けられる。なお、この第２の厚み調整部材１０８Ｂを横枠部材２２に取り付ける場合には、該第２の厚み調整部材１０８Ｂから突出した係り合い爪（図示せず）を横枠部材２２の上面に設けた開口（図示せず）に係り合わせた後、ねじ止めする等して取り付けるが、取付方法はこれに限定されない。
【００３２】
次に、これら第１、第２の厚み調整部材１０８Ａ、１０８Ｂを利用して構造枠体２にパネル要素３を取り付ける場合について説明する。この場合は、図３に示すように、横枠部材２２の上面側に取り付けた第１、第２の厚み調整部材１０８Ａ、１０８Ｂの係り合い溝１０８１、１０８２にパネル要素３の下向爪３４ａを、横枠部材２２の下面側に取り付けた第１、第２の厚み調整部材１０８Ａ、１０８Ｂの係り合い溝１０８１、１０８２に上向爪３３ａを引っ掛け、パネル要素３の内面３ａを厚み調整部材１０８Ａ、１０８Ｂのパネル要素支持面Ｐに添え設けた状態で取り付けるようにする。なお、本実施例では、横枠部材２２の左右端部に第１、第２の厚み調整部材１０８Ａ、１０８Ｂを取り付けているため、これら厚み調整部材１０８Ａ、１０８Ｂを設けていない中央部分では、パネル要素３の内面３ａと横枠部材２２の前後面２２ａ間に隙間が生じることとなる。そのため、図２に示すように、横枠部材２２の左右方向の略中央位置にパネル要素３のべこつきを防止するべこつき防止部材２３を設けるようにしている。このべこつき防止部材２３は、断面略コ字形状のものであり、配線受けとしての機能も有するものである。
【００３３】
このような構成のものであると、例えば、対面配置させた机間に可動間仕切壁１０１を介在させて使用する際に、机の天板下に位置する可動間仕切壁１０１の下半部１０６ａ側には配線機能を付与し、天板上に位置する上半部１０６ｂ側は天板面の作業スペースを拡大したいという要望がある場合に、本実施例のように下半部１０６ａを配線機能を十分に付与するために比較的厚みを有するものとし、上半部１０６ｂ側を薄くして天板面の拡大を図るようにすればよい。すなわち、可動間仕切壁１０１の厚み寸法を部分的に異ならせることにより、パネルの適当な部分を付与したい機能に相応しい厚さ寸法にして、使用者が要望する種々の使用形態に的確に応えることができる。
【００３４】
特に、本実施例では、部分的に可動間仕切壁１０１の厚みを異ならせる構造を、厚み調整部材１０８Ａ、１０８Ｂを利用して実現しているので、この厚み調整部材１０８Ａ、１０８Ｂの構造枠体２に対する奥行寸法を適宜変更するだけで、可動間仕切壁本体１０６の主要部をなす構造枠体２及びパネル要素３に構造変更を加えずとも、簡単に、可動間仕切壁１０１の厚み寸法を部分的に異なるように構成することが可能となる。特に、本実施例のように、厚み調整部材１０８Ａ、１０８Ｂを小型樹脂製のものにすれば、部分的に構造枠体２の厚みを変えて対応する場合と異なり、各種厚みの異なる比較的大型な構造枠体２を個別に製造する必要がなく前記構造枠体２の共通化が可能となる。そのため、生産上の負担軽減やコストの低減化を図り得ることは勿論、工場内在庫を極力減少させることができる。また、現場で簡単に使用者の要望に合わせてパネルの厚みを部分的に変更することができるなど、使用者の使用変更や要求に対し柔軟に対応することも可能となる。
【００３５】
また、本実施例では、可動間仕切壁本体１０６が、下半部１０６ａ側の厚み寸法を上半部１０６ｂ側の厚み寸法よりも大きく設定されているので、下半部１０６ａ側をより厚くすることにより可動間仕切壁１０１に安定感を持たせることが可能になる上、配線機能を付与することなども容易となる。また、上半部１０６ｂ側がより薄いので、可動間仕切壁１０１の軽量化や使用者に与える圧迫感の軽減化を図ることができる。
【００３６】
さらに、本実施例では、異なる奥行寸法の複数の厚み調整部材１０８Ａ、１０８Ｂを選択的に使い分けることにより可動間仕切壁本体１０６の厚み寸法を変更するようにしているので、異なる奥行寸法を有する厚み調整部材を各種準備しておけば、簡単な構成で、使用者の要望に合わせて可動間仕切壁１０１の厚みを部分的に変更することができる。
【００３７】
厚み調整部材１０８Ａ、１０８Ｂが、パネル要素３の内面３ａと対向する対向面である前後面１０８ａ、１０８ｂを前記パネル要素３の内面３ａを添え設け支持するパネル要素支持面Ｐとするものであるので、パネル要素３の安定支持が可能となる。
【００３８】
厚み調整部材１０８Ａ、１０８Bが、前記パネル要素３を取り付け得る取付機能を有しており、前記パネル要素３の内面３ａから突設した爪３３ａ、３４ａと係り合うことができる係り合い溝１０８１、１０８２を具備しているので、比較的加工が行い易い樹脂製の厚み調整部材１０８Ａ、１０８Bに取付機能を付与することにより、加工が行い難い構造枠体２に特別な加工を施さずにパネル要素３を簡単に構造枠体２に取り付け得る構成とすることができる。
【００３９】
厚み調整部材１０８Ａ、１０８Bが、前記横枠部材２２に取り付けられるものであるので、本実施例のように可動間仕切壁１０１が内部に配線空間Ｓを有するものである場合に、隣設する可動間仕切壁１０１間で配線類を横配線する際、前記厚み調整部材１０８Ａ、１０８Bが横配線の妨げとなることを有効に防止することができる等、側枠部材２１に厚み調整部材１０８Ａ、１０８Bを取り付ける場合に比べて配線類の引き回しが行い易いものとなる。
【００４０】
なお、本発明における構成は、以上説明したものに限定されないのは勿論である。例えば、図４に示すように、厚み調整部材２０８が、異なる離間距離ａ、ｂを有する２組の対向面を具備する平面視略矩形状のものであり、構造枠体２に対する取付方向を変更することで可動間仕切壁本体６の厚み寸法を変更するようにしているものであってもよい。このような構成のものであると、水平面内で約９０度回転させて構造枠体２に対する取付方向を変更するだけで、１種類の厚み調整部材２０８で２種類の厚み寸法を構成することができる。また、このような厚み調整部材の形状は、平面視略矩形状に限定されず、それぞれ異なる離間距離を有する複数組の対向面を具備する平面視略多角形状のものであれば、どのような形状であってもよい。
【００４１】
また、厚み調整部材の構成は、上述したものに限定されず、図５に示すように、パネル要素３の内面３ａから、その奥行方向を可動間仕切壁本体１０６の厚み方向に略一致させて延出する厚み調整部材３０８Ａ、３０８Bを設け、この厚み調整部材３０８Ａ、３０８Bの奥行方向に沿って複数箇所に設けた爪部３０８ａ、３０８ｂを選択的に横枠部材１２２の上下面に設けた凹溝１２２ａに係り合わせることにより、前記構造枠体１０２の前後面１０２ａとパネル要素３の内面３ａとの離間距離を変更して前記可動間仕切壁本体１０６の厚み寸法を変更し得るものであってもよい。
【００４２】
その他の構成も本発明の趣旨を逸脱しない範囲で種々変形が可能である。
【００４３】
次に、前記厚み調整部材を利用して、厚みの異なる可動間仕切壁１を構成する場合について説明する。
＜第２実施例＞
以下、本発明の第２実施例について図６〜図１１を参照して説明する。
【００４４】
この実施例におけるパネルたる可動間仕切壁６は、図６に示すように、可動間仕切壁本体６の骨格を形成する構造枠体２と、この構造枠体２の前後両面側に着脱可能に装着されるパネル要素３と、前記構造枠体２の上端部に取り付けられる笠木４と、前記構造枠体２の側端面に取り付けられるカバー５とを具備してなるものである。そして、本実施例の可動間仕切壁１は、前記構造枠体２とパネル要素３とによって閉止される位置である内部空間を配線類を収納し得る配線空間Ｓとしている。
【００４５】
以下、各部の構成について説明する。
【００４６】
構造枠体２は、可動間仕切壁１の側端面を形成する略鉛直方向に沿って配置した左右の側枠部材２１と、これら左右の側枠部材２１を連結する略水平方向に沿って配置した複数の横枠部材２２とを具備してなり、これら側枠部材２１と横枠部材２２とを枠体状に連結している。
【００４７】
側枠部材２１は、図６及び図７に示すように、板金素材を内側面側が開放するように横断面略コ字形に塑性変形してなる２つの部材を組み合わせて構成した略角パイプ状のものである。横枠部材２２は、前記側枠部材２１と略等しい前後巾を有する横断面略ロ字形の角パイプ状のものである。そして、その左右側端面を前記左右の側枠部材２１の内側面に当接させて、溶接等の適宜の手段で左右の側枠部材２１間に取り付けてある。
【００４８】
パネル要素３は、図６に示すように板金製の板状部材３１の内面に芯材３２を充填してなる長方形状のもので、上下方向に沿って複数枚連設することにより、該構造枠体２の略全域を覆う位置に設けてある。これらのパネル要素３には、コーナー部近傍の内面側にそれぞれ前記芯材３２に代えて上向爪３３ａを有する樹脂部材３３及び下向爪３４ａを有する樹脂部材３４が設けてあり、これら爪３３ａ、３４ａを利用して、複数の横枠部材２２のうち任意の２つの間にパネル要素３を着脱可能に装着し得るようにしている。
【００４９】
このような構成からなる可動間仕切壁１において、本実施例では、図６〜図８に示すように、可動間仕切壁本体６の厚み方向とその奥行方向を略一致させた状態で構造枠体２に取り付けられる厚み調整部材８を具備してなり、この厚み調整部材８が、前記構造枠体２の前後面とパネル要素２の内面２ａ間にその一部を介在させて装着され、前記構造枠体２の前後面とパネル要素２の内面２ａとの離間距離を変更して前記可動間仕切壁本体６の厚み寸法を部分的に異なるものとしている。
【００５０】
以下、前記厚み調整部材８について詳細に説明する。なお、前記厚み調整部材８は、図６に示すように、最上の横枠部材２２の下面側と、最下の横枠部材２２の上面側と、中間の横枠部材２２の上下両面側に取り付けられるが、本実施例では、横枠部材２２の上下に取り付けられる厚み調整部材８をそれぞれ若干形態の異なるものとしている。そのため、以下、横枠部材２２の上面側に取り付けられる厚み調整部材８を第１の厚み調整部材８Ａとするとともに、横枠部材２２の下面側に取り付けられる厚み調整部材８を第２の厚み調整部材８Ｂとして具体的な説明を行うものである。
【００５１】
第１の厚み調整部材８Ａは、図６〜図８に示すように、合成樹脂製で、前記横枠部材２２の左右端部において上面部側に着脱可能に装着されるものである。この第１の厚み調整部材８Ａは、その前後巾が、側枠部材２１及び横枠部材２２の前後巾よりも巾広であるとともに、その前後面８ａを、側枠部材２１及び横枠部材２２の前後面２１ａ、２２ａよりも外方に突出した位置に設けてパネル要素３の内面３ａを添え設け支持するパネル要素支持面Ｐとしている。そして、前記第１の厚み調整部材８Ａは、横断面略Ｈ形状の厚み調整部材本体８１と、前記厚み調整部材本体８１の一端側から側枠部材２１の前後面２１ａに向かって延出した前後一対の平面視略Ｌ字形状の配線収束部８２とを具備している。厚み調整部材本体８１は、上面に前記パネル３の下向爪３４ａが係り合い得る係り合い溝８１ａを有するとともに、下面に前記横枠部材２２に外側から嵌め得る凹溝８１ｂを有している。配線収束部８２は、図６及び図７に示すように、側枠部材２１の前後面２１ａ側に張り出した状態で取り付けられ、本実施例では、この配線収束部８２を利用して、側枠部材２１の前後面２１ａを上下方向に縦配線している配線類（図示せず）を略束ねた状態で案内するようにしている。なお、この配線収束部８２の前後面は、厚み調整部材本体８１の前後面と略面一となっている。さらに、この第１の厚み調整部材８Ａを横枠部材２２に取り付ける場合には、横枠部材２２の上面に設けた開口（図示せず）に、厚み調整部材本体８１から突出した係り合い爪（図示せず）を係り合わせた後、ねじ止めする等して取り付けるが、取付方法はこれに限定されない。
【００５２】
第２の厚み調整部材８Ｂは、合成樹脂製で、前記横枠部材２２の左右端部において下面部側に着脱可能に装着されるものである。この第２の厚み調整部材８Ｂは、前記第１の厚み調整部材８Ａと略等しい前後巾を有している。したがって、前記第１の厚み調整部材８Ａと同様、その前後面８ａを、側枠部材２１及び横枠部材２２の前後面２１ａ、２２ａよりも外方に突出した位置に設けてパネル要素３の内面３ａを添え設け支持するパネル要素支持面Ｐとしている。この第２の厚み調整部材８Ｂは、横断面略Ｈ形状の厚み調整部材本体８３を具備しており、この厚み調整部材本体８３は、下面に前記パネル要素３の上向爪３３ａが係り合い得る係り合い溝８３ａを有している。なお、本実施例では、最上の横枠部材２２に取り付けた第２の厚み調整部材８Ｂを利用して構造枠体２の上端部に笠木４を取り付けるようにしている。具体的には、第２の厚み調整部材８Ｂの前後両側から弾性変形可能な係り合い爪８４を突出し、この係り合い爪８４を笠木４の前後両側に連続して設けた凹溝４１に係り合わせて取り付けるようにしている。さらに、この第２の厚み調整部材８Ｂを横枠部材２２に取り付ける場合には、横枠部材２２の下面に設けた開口（図示せず）に、厚み調整部材本体８３から突出した係り合い爪（図示せず）を係り合わせた後、ねじ止めする等して取り付けるが、取付方法はこれに限定されない。
【００５３】
次に、これら第１、第２の厚み調整部材８Ａ、８Ｂを利用して構造枠体２にパネル要素３を取り付ける場合について説明する。この場合は、図８に示すように、上面側の第１の厚み調整部材８Ａの係り合い溝８１ａにパネル要素３の下向爪３４ａを、下面側の第２の厚み調整部材８Ｂの係り合い溝８１ａに上向爪３３ａを引っ掛け、パネル要素３の内面３ａを厚み調整部材８Ａ、８Ｂのパネル要素支持面Ｐに添え設けた状態で取り付けるようにする。なお、本実施例では、横枠部材２２の左右端部に第１、第２の厚み調整部材８Ａ、８Ｂを取り付けているため、これら厚み調整部材８Ａ、８Ｂを設けていない中央部分では、パネル要素３の内面３ａと横枠部材２２の前後面２２ａ間に隙間が生じることとなる。そのため、図１に示すように、横枠部材２２の左右方向の略中央位置にパネル要素３のべこつきを防止するべこつき防止部材２３を設けるようにしている。このべこつき防止部材２３は、断面略コ字形状のものであり、配線受けとしての機能も有するものである。
【００５４】
このような構成のものにおいて、本実施例では、異なる厚み寸法の厚み調整部材を数種類準備し、使用者の要望に合わせて各厚み調整部材を選択的に使い分けることにより可動間仕切壁本体の厚み寸法を適宜変更するようにしている。例えば、図８に示すような厚み寸法の可動間仕切壁１を薄いタイプに変更したい場合には、図９の模式的な断面図に示すように、前述した厚み調整部材８よりも厚み寸法が小さい厚み調整部材４０８を構造枠体２に取り付け、これら厚み調整部材４０８にパネル要素３を支持させるようにすればよい。なお、可動間仕切壁の厚みを変更した場合には、構造枠体２の前後面とパネル要素３の内面３ａ間に形成される隙間が上方及び側方から露見するため、笠木４０４及びカバーの厚み寸法を可動間仕切壁本体の厚み寸法に対応するものに適宜変更する等して前記隙間を外部から隠蔽するようにする。
【００５５】
このような構成のものであると、厚み調整部材８の構造枠体２に対する奥行寸法を変更するだけで、可動間仕切壁本体６の主要部をなす構造枠体２及びパネル要素３に構造変更を加えずとも、簡単に、異なる厚み寸法の可動間仕切壁１を構成することが可能となる。特に、本実施例のように、厚み調整部材８を小型樹脂製のものにすれば、従来のように各種厚みの異なる比較的大型な構造枠体２を個別に製造する必要がなく、厚みの異なるタイプの可動間仕切壁１においても前記構造枠体２の共通化が可能となる。そのため、生産上の負担軽減やコストの低減化を図り得ることは勿論、工場内在庫を極力減少させることができる。また、現場で簡単に使用者の要望に合わせてパネルの厚みを変更することができるなど、使用者の使用変更や要求に対し柔軟に対応することも可能となる。
【００５６】
異なる奥行寸法の複数の厚み調整部材を選択的に使い分けることにより可動間仕切壁本体の厚み寸法を変更するようにしているので、異なる奥行寸法を有する厚み調整部材を各種準備しておけば、簡単な構成で、可動間仕切壁の厚み変更に柔軟に対応することができる。
【００５７】
厚み調整部材８が、その前後面８ａを前記パネル要素３の内面３ａを添え設け支持するパネル要素支持面Pとし、前記構造枠体２の前後面に装着される両パネル要素３を支持し得るものであるので、構造枠体２の厚み方向に対して１つの厚み調整部材８で前後両側のパネル要素３を支持することができ、部品点数の軽減を図り得るとともに、取付作業の負担も軽減することができる。
【００５８】
厚み調整部材８が、前記パネル要素３を取り付け得る取付機能を有しており、前記パネル要素３の内面３ａから突設した爪３３ａ、３４ａと係り合うことができる係り合い溝８１ａ、８３ａを具備しているので、比較的加工が行い易い樹脂製の厚み調整部材８に取付機能を付与することにより、加工が行い難い構造枠体２に特別な加工を施さずにパネル要素３を簡単に構造枠体２に取り付け得る構成とすることができる。
【００５９】
厚み調整部材８が、前記横枠部材２２に取り付けられるものであるので、本実施例のように可動間仕切壁１が内部に配線空間Ｓを有するものである場合に、隣設する可動間仕切壁１間で配線類を横配線する際、前記厚み調整部材８が横配線の妨げとなることを有効に防止することができる等、側枠部材２１に厚み調整部材８を取り付ける場合に比べて配線類の引き回しが行い易いものとなる。
【００６０】
なお、本発明における構成は、以上説明したものに限定されないのは勿論である。例えば、図１０に示すように、厚み調整部材２０８が、異なる離間距離ａ、ｂを有する２組の対向面を具備する平面視略矩形状のものであり、構造枠体２に対する取付方向を変更することで可動間仕切壁本体６の厚み寸法を変更するようにしているものであってもよい。このような構成のものであると、水平面内で約９０度回転させて構造枠体２に対する取付方向を変更するだけで、１種類の厚み調整部材２０８で２種類の厚み寸法のパネルを構成することができる。また、このような厚み調整部材の形状は、平面視略矩形状に限定されず、それぞれ異なる離間距離を有する複数組の対向面を具備する平面視略多角形状のものであれば、どのような形状であってもよい。
【００６１】
また、厚み調整部材の構成は、上述したものに限定されず、第１実施例中図５に示すように、パネル要素３の内面から、その奥行方向を可動間仕切壁本体１０６の厚み方向に略一致させて延出する厚み調整部材３０８Ａ、３０８Bを設け、この厚み調整部材３０８Ａ、３０８Bの奥行方向に沿って複数箇所に設けた爪部３０８ａ、３０８ｂを選択的に横枠部材１２２の上下面に設けた凹溝１２２ａに係り合わせることにより、前記構造枠体１０２の前後面１０２ａとパネル要素３の内面３ａとの離間距離を変更して前記可動間仕切壁本体１０６の厚み寸法を変更し得るものであってもよい。
【００６２】
さらに、図１１に示すように、構造枠体２の上下位置にそれぞれ異なる厚み寸法の厚み調整部材５０８、６０８を取り付けることにより、構造枠体２に加工を施さずとも、1枚のパネルにおいて上下で部分的に厚み寸法が異なる可動間仕切壁本体５０６を構成することも可能である。
【００６３】
その他の構成も本発明の趣旨を逸脱しない範囲で種々変形が可能である。
【００６４】
【発明の効果】
本発明は、以上説明したような構成で実施され以下に記載されるような効果を奏する。
【００６５】
すなわち、本発明は、側枠部材と横枠部材とから構成されパネル本体の骨格を形成する構造枠体と、前記構造枠体の前後少なくとも一方の面に着脱可能に装着されるパネル要素とを具備してなるものにおいて、パネル本体が、部分的に異なる厚み寸法を有するものであるので、パネルの適当な部分を付与したい機能に相応しい厚さにして、使用者が要望する種々の使用形態に柔軟に応えることが可能となる。
【００６６】
また、この場合には使用者の要望に合わせて、パネル本体の厚み寸法が上下位置或いは左右位置で部分的に異なるように構成したり、パネル本体の厚み寸法が上下位置及び左右位置で部分的に異なるように構成することが望ましい。
【００６７】
パネル本体が、下端部側の厚み寸法を上端部側の厚み寸法よりも大きく設定されているならば、下端部側をより厚くすることによりパネルに安定感を持たせることが可能になる上、配線機能を付与することなども容易となる。また、上端部側がより薄いので、パネルの軽量化や使用者に与える圧迫感の軽減化を図ることができる。
【００６８】
パネル本体の厚み方向とその奥行方向を略一致させた状態で構造枠体或いはパネル要素に取り付けられる厚み調整部材を具備してなり、この厚み調整部材が、前記構造枠体の前後少なくとも一方の面とパネル要素の内面間にその一部を介在させて装着され、前記構造枠体の前後少なくとも一方の面とパネル要素の内面との離間距離を変更して前記パネル本体の厚み寸法を部分的に異なるものとし得るならば、例えば、使用する厚み調整部材の奥行寸法を変更するだけで、パネル本体の主要部をなす構造枠体及びパネル要素に構造変更を加えずとも、簡単に部分的に異なる厚み寸法のパネルを構成することが可能となる。特に、厚み調整部材を小型樹脂製のものにすれば、従来のように厚みの異なるパネルを形成するために各種厚みの異なる比較的大型な構造枠体を個別に製造する必要がなく、該構造枠体の共通化が可能となるため、生産上の負担軽減やコストの低減化を図り得ることは勿論、工場内在庫を極力減少させることができる。また、従来のものに比べて、現場で簡単に使用者の要望に合わせてパネルの厚みを部分的に変更することができるなど、使用者の使用変更や要求に対し柔軟に対応することも可能となる。
【００６９】
また、この厚み調整部材は、1枚のパネルで部分的に厚み寸法を変更する場合にその使用を限られない。側枠部材と横枠部材とから構成されパネル本体の骨格を形成する構造枠体と、前記構造枠体の前後少なくとも一方の面に着脱可能に装着されるパネル要素とを具備してなるものにおいて、パネル本体の厚み方向とその奥行方向を略一致させた状態で構造枠体或いはパネル要素に取り付けられる厚み調整部材を具備してなり、この厚み調整部材が、前記構造枠体の前後少なくとも一方の面とパネル要素の内面間にその一部を介在させて装着され、前記構造枠体の前後少なくとも一方の面とパネル要素の内面との離間距離を変更して前記パネル本体の厚み寸法を変更し得るものであるならば、例えば、厚み調整部材の構造枠体に対する奥行寸法を変更するだけで、パネル本体の主要部をなす構造枠体及びパネル要素に構造変更を加えずとも、簡単に異なる厚み寸法のパネルを構成することが可能となる。特に、厚み調整部材を小型樹脂製のものにすれば、従来のように厚みの異なるパネルを形成するために各種厚みの異なる比較的大型な構造枠体を個別に製造する必要がなく、該構造枠体の共通化が可能となるため、生産上の負担軽減やコストの低減化を図り得ることは勿論、工場内在庫を極力減少させることができる。また、従来のものに比べて、現場で簡単に使用者の要望に合わせてパネルの厚みを変更することができるなど、使用者の使用変更や要求に対し柔軟に対応することも可能となる。
【００７０】
厚み調整部材が、前記構造枠体に着脱可能に取り付けられるものであるならば、構造枠体に設計変更を加えずともパネルの厚み変更を簡単に行い得る。
【００７１】
異なる奥行寸法を有する複数の厚み調整部材を選択的に使い分けることによりパネル本体の厚み寸法を変更するならば、異なる奥行寸法を有する厚み調整部材を各種準備しておけば、簡単な構成で、厚み変更に柔軟に対応することができる。
【００７２】
厚み調整部材が、それぞれ異なる離間距離を有する複数組の対向面を具備する平面視略多角形状のものであり、構造枠体に対する取付方向を変更することでパネル本体の厚み寸法を変更するようにしているならば、１種類の厚み調整部材で数種類の厚み寸法に対応することが可能となり、厚み変更の度に各種個別に厚み調整部材を準備する必要がなく、厚み変更を現場で迅速にしかも工場内在庫を減少させて対応することができる。
【００７３】
厚み調整部材が、パネル要素の内面と対向する対向面を前記パネル要素の内面を添え設け支持するパネル要素支持面とするものであるならば、パネル要素の安定支持が可能となる。
【００７４】
厚み調整部材が、前記パネル要素を取り付け得る取付機能を有しており、前記パネル要素の内面から突設した爪と係り合うことができる係り合い溝を具備しているならば、比較的加工が行い易い厚み調整部材に取付機能を付与することにより、構造枠体に特別な加工を施さずにパネル要素を簡単に構造枠体に取り付け得る構成を実現することができる。
【００７５】
厚み調整部材が、前記横枠部材に取り付けられるものであるならば、パネルが内部に配線空間を有するものである場合に、隣設するパネル間で配線類を横配線する際、厚み調整部材が横配線の妨げとなることを有効に防止することができる等、側枠部材に厚み調整部材を取り付ける場合に比べて配線類の引き回しが行い易いものとなる。
【図面の簡単な説明】
【図１】本発明の第１実施例における可動間仕切壁を示す全体斜視図。
【図２】同分解斜視図。
【図３】同断面図
【図４】同厚み調整部材の一変形例を示す斜視図。
【図５】同厚み調整部材の他の変形例を示す模式図。
【図６】本発明の第２実施例における可動間仕切壁を示す分解斜視図。
【図７】同要部を示す一部を破断した斜視図。
【図８】同側断面図。
【図９】同模式的な断面図。
【図１０】同厚み調整部材の一変形例を示す斜視図。
【図１１】同一使用状態を示す模式的な断面図。
【符号の説明】
１、１０１…パネル（可動間仕切壁）
２、１０２…構造枠体
２１…側枠部材
２２、１２２…横枠部材
３…パネル要素
３３ａ…係り合い爪（上向爪）
３４ａ…係り合い爪（下向爪）
６、１０６、４０６、５０６…パネル本体（可動間仕切壁本体）
８Ａ、１０８Ａ…厚み調整部材（第１の厚み調整部材）
８Ｂ、１０８Ｂ…厚み調整部材（第２の厚み調整部材）
８ａ、１０８ａ、１０８ｂ…前後面
８１ａ、８３ａ、１０８１、１０８２…係り合い溝
２０８、３０８Ａ、３０８Ｂ、４０８、５０８、６０８…厚み調整部材
Ｐ…パネル要素支持面
【図１】
0003714108.tif 000002
【図２】
0003714108.tif 000003
【図３】
0003714108.tif 000004
【図４】
0003714108.tif 000005
【図５】
0003714108.tif 000006
【図６】
0003714108.tif 000007
【図７】
0003714108.tif 000008
【図８】
0003714108.tif 000009
【図９】
0003714108.tif 000010
【図１０】
0003714108.tif 000011
【図１１】
0003714108.tif 000012